(57)【要約】  チャイルドレジスタンス滑動部は、上部材と、上部材から懸下する一対の離間した脚とを備える。離間した脚のうちの少なくとも第１の脚が、第１の脚の残りの部分および滑動部の残りの部分から側方へと離れるように突出する第１のタングを有する。第１のタングは分離プラウを有する。タングは、第１のプラウを、ジッパ閉鎖部の相互係止した雄軌道と雌軌道とを分離するための位置へと移動させるために、移動可能であり得る。他の例では、両方の脚が、分離プラウを有する突出するタングを備える。
2021504053.tif 000002
【特許請求の範囲】
【請求項１】
（ａ）  相互係止および係止解除のための相補的な形状を有する雄軌道および雌軌道を伴う再閉鎖可能なジッパ閉鎖部と、
（ｂ）  前記雄軌道および前記雌軌道に配置され、前記ジッパ閉鎖部の端からある距離で離間する切欠きと、
（ｃ）  前記ジッパ閉鎖部に滑動可能に配置され、上部材、および前記上部材から懸下する一対の離間した脚を備える滑動部であって、前記離間した脚同士は、前記離間した脚同士の間に開放容積を定めて、前記開放容積を通じての前記軌道の通過を、前記脚が前記軌道に跨る状態で可能にする、滑動部と
を備え、
（ｉ）  前記離間した脚のうちの少なくとも第１の脚が、前記第１の脚の残りの部分および前記滑動部の残りの部分から側方へと離れるように突出する第１のタングを有し、前記第１のタングは、その一部分において第１の分離プラウを有し、
（ｉｉ）  前記第１のタングは、前記滑動部が前記ジッパ閉鎖部に沿って開放方向で移動させられるとき、前記雄軌道と前記雌軌道とを分離するために、前記第１の分離プラウを前記脚同士の間の前記開放容積に配置するように選択的に移動可能である、チャイルドレジスタンス滑動部ジッパ閉鎖システム。
【請求項２】
前記滑動部が前記軌道に沿って閉鎖方向で移動させられるとき、前記雄軌道と前記雌軌道とを相互係止する関係へと係合させるのに互いに十分な近さで離間する内面をさらに備える、請求項１に記載の滑動部ジッパ閉鎖システム。
【請求項３】
前記第１のタングは、前記第１の脚の残りの部分に取り付けられる固定端と、撓み可能な自由端とを有し、前記第１の分離プラウは前記自由端にある、請求項１または２に記載の滑動部ジッパ閉鎖システム。
【請求項４】
（ａ）  前記離間した脚のうちの第２の脚が、前記第２の脚の残りの部分および前記滑動部の残りの部分から側方へと離れるように突出する第２のタングを有し、前記第２のタングは、その一部分において第２の分離プラウを有し、
（ｂ）  前記第１のタングと前記第２のタングとの両方は、前記第１の分離プラウおよび前記第２の分離プラウを前記脚同士の間の前記開放容積において互いと隣接させて配置するように選択的に移動可能であり、隣接した前記第１の分離プラウおよび前記第２の分離プラウは、前記滑動部が前記ジッパ閉鎖部に沿って開放方向で移動させられるとき、前記雄軌道と前記雌軌道とを分離するために隣接した配向で成形される、請求項１から３のいずれか一項に記載の滑動部ジッパ閉鎖システム。
【請求項５】
前記第２のタングは、前記第２の脚の残りの部分に取り付けられる固定端と、撓み可能な自由端とを有し、前記第２の分離プラウは前記第２のタングの前記自由端にある、請求項４に記載の滑動部ジッパ閉鎖システム。
【請求項６】
前記内面は前記脚の内面を含む、請求項２を引用する請求項３から５のいずれか一項とに記載の滑動部ジッパ閉鎖システム。
【請求項７】
請求項１から６のいずれか一項に記載のチャイルドレジスタンスジッパ閉鎖システムを使用する柔軟包装であって、
（ａ）  口部を形成する上部、下部、第１の相対する側部、および第２の相対する側部を各々有する第１のパネルおよび第２のパネルであって、それぞれの前記下部、それぞれの前記第１の相対する側部、およびそれぞれの前記第２の相対する側部に沿って互いと結合される第１のパネルおよび第２のパネルを備え、
（ｂ）  前記軌道のうちの一方は前記第１のパネルの前記上部に近接しており、前記軌道のうちの他方は前記第２のパネルの前記上部に近接している、柔軟包装。
【請求項８】
相互係止および係止解除のための相補的な形状を伴う雄軌道および雌軌道を有するジッパ閉鎖部のための滑動部であって、
（ａ）  上部材、および、前記上部材から懸下する一対の離間した脚であって、前記離間した脚同士の間に開放容積を定めて、前記開放容積を通じての前記軌道の通過を、前記脚が前記軌道に跨る状態で可能にする離間した脚と、
（ｂ）  前記滑動部が前記ジッパ閉鎖部に沿って閉鎖方向で移動させられるとき、前記形状を相互係止する関係へと押し込むのに互いに十分な近さで離間する内面と、
（ｃ）  前記離間した脚のうちの第１の脚から延び、前記第１の脚の残りの部分および前記滑動部の残りの部分から離間する少なくとも第１のタングであって、前記開放容積に接近および離れる方向において、枢動軸の周りで前記第１の脚に対して撓むように構築および配置される第１のタングと、
（ｄ）  前記第１のタングから延び、前記第１のタングの撓みで前記開放容積に接近および離れるように移動する第１の分離プラウであって、前記滑動部が前記ジッパ閉鎖部に沿って開放方向で移動させられるとき、前記雄軌道と前記雌軌道との間にあり、前記相互係止する形状同士を分離するための位置へと選択的に移動可能である第１の分離プラウと
を備える滑動部。
【請求項９】
前記第１のタングは、前記第１の脚の残りの部分に取り付けられる固定端と、撓み可能な自由端とを有し、前記第１の分離プラウは前記自由端にある、請求項８に記載の滑動部。
【請求項１０】
（ａ）  前記離間した脚のうちの第２の脚が、前記第２の脚の残りの部分および前記滑動部の残りの部分から側方へと離れるように突出する第２のタングを有し、前記第２のタングは、その一部分において第２の分離プラウを有し、
（ｂ）  前記第１のタングと前記第２のタングとの両方は、前記滑動部が前記ジッパ閉鎖部に沿って開放方向で移動させられるとき、前記相互係止する形状同士を分離するために、前記第１の分離プラウおよび前記第２の分離プラウを前記脚同士の間の前記開放容積へと互いと隣接させて配置するように選択的に移動可能である、請求項８に記載の滑動部。
【請求項１１】
前記第１のタングと前記第２のタングとの両方は、前記滑動部が前記ジッパ閉鎖部に沿って開放方向で移動させられるとき、前記相互係止する形状同士を分離するために、前記第１の分離プラウおよび前記第２の分離プラウを前記脚同士の間の前記開放容積へと互いに接触させて配置するように選択的に移動可能である、請求項１０に記載の滑動部。
【請求項１２】
前記第２のタングは、前記第２の脚の残りの部分に取り付けられる固定端と、撓み可能な自由端とを有し、前記第２の分離プラウは前記第２のタングの前記自由端にある、請求項１０または１１に記載の滑動部。
【請求項１３】
前記滑動部は単一品として成形される、請求項８から１２のいずれか一項に記載の滑動部。
【請求項１４】
前記内面は前記脚の内面を含む、請求項８から１３のいずれか一項に記載の滑動部。
【請求項１５】
開放可能および再閉鎖可能な口部を有するジッパ付きバッグを動作させる方法であって、
（ａ）  前記口部を形成する上部、下部、第１の相対する側部、および第２の相対する側部を各々有する第１のパネルおよび第２のパネルを有するジッパ付きバッグを用意するステップであって、前記第１のパネルおよび前記第２のパネルは、それぞれの
前記下部、それぞれの前記第１の相対する側部、およびそれぞれの前記第２の相対する側部に沿って互いと結合され、再閉鎖可能なジッパ閉鎖部が、相互係止および係止解除のための相補的な形状を伴う雄軌道および雌軌道を備え、一方の形状は前記第１のパネルの前記上部に近接しており、他方の形状は前記第２のパネルの前記上部に近接しており、前記相補的な形状は、前記口部を閉鎖するために相互係止し、前記口部を開放するために係止解除し、前記ジッパ閉鎖部は、前記第１の側部からある距離で離間する切欠きを備え、上部材、および前記上部材から懸下する一対の離間した脚を有する滑動部が前記ジッパ閉鎖部に配置されるステップと、
（ｂ）  前記口部を、
（ｉ）  前記滑動部を前記切欠きへと移動させること、
（ｉｉ）  前記脚のうちの少なくとも一方における分離プラウを前記雄軌道と前記雌軌道との間に位置決めするために、前記離間した脚同士を互いに向けて内向きに圧迫すること、および、
（ｉｉｉ）  前記分離プラウが前記雄軌道と前記雌軌道との間にある間に、前記相互係止する形状同士の分離をもたらすために前記滑動部を開放方向において前記ジッパ閉鎖部に沿って移動させること
によって開放するステップと
を含む方法。
【請求項１６】
前記離間した脚同士を圧迫するステップは、前記分離プラウを前記雄軌道と前記雌軌道との間に位置決めするために、前記脚のうちの第１のものおよび前記滑動部の残りの部分から側方へと離れるように突出する柔軟なタングを移動させることを含む、請求項１５に記載の方法。
【請求項１７】
前記離間した脚同士を圧迫するステップは、分離プラウを各々が有する一対の柔軟なタングを移動させることを含み、各々の柔軟なタングは、前記分離プラウを前記雄軌道と前記雌軌道との間に位置決めするために、前記脚のそれぞれ１つおよび前記滑動部の残りの部分から側方へと離れるように突出する、請求項１５に記載の方法。
【請求項１８】
前記分離プラウを位置決めするステップは、前記分離プラウ同士を前記雄軌道と前記雌軌道との間で互いに隣接および接触して位置決めすることを含む、請求項１７に記載の方法。
【発明の詳細な説明】
【技術分野】
【０００１】
本出願は、ＰＣＴ国際特許出願として２０１８年１１月２８日に出願されており、２０１７年１１月２９日に出願された米国特許出願第１５／８２６，０７９号への優先権を主張し、その開示はその全体において本明細書において参照により組み込まれている。
【０００２】
本開示は、バッグまたは袋と使用可能な再閉鎖可能なジッパ閉鎖部のための滑動部に関する。より詳細には、本開示は、バッグまたは袋のための再閉鎖可能なジッパ閉鎖部と使用可能なチャイルドレジスタンス滑動部に関する。
【背景技術】
【０００３】
家庭用品の製造者は、より少ない包装材料、より安い包装コスト、縮小した保管空間、およびより小さい出荷コストを含む、再閉鎖可能で柔軟な包装によって提供される利点のため、剛体の包装が再閉鎖可能で柔軟な包装に益々とって代わっている。
【０００４】
家庭用品を収容している再閉鎖可能で柔軟な包装が購入されると、それらの包装は、内容物が空にされるまで、回収、開放、および再閉鎖されるのに都合のよい家庭内の場所において典型的には保管される。これらの包装の開放および再閉鎖は、大人および子供の両方にとって容易である。これらの包装が潜在的に有害な製品を収容しており、小さい子供が近付ける場合、これは子供に危険をもたらすことになる。結果として、子供がバッグを開放する難度を高めつつ、大人および高齢者がバッグを開放するための適切な手段を提供するために、大掛かりな閉鎖および方法を提供する必要性がある。
【先行技術文献】
【特許文献】
【０００５】
【特許文献１】米国特許第５，４４２，８３８号
【特許文献２】米国特許第５，００７，１４３号
【発明の概要】
【発明が解決しようとする課題】
【０００６】
概して、先行技術を向上させたチャイルドレジスタンス滑動部が提供される。
【課題を解決するための手段】
【０００７】
一態様において、チャイルドレジスタンス滑動部ジッパ閉鎖システムが提供される。システムは、相互係止および係止解除のための相補的な形状を有する雄軌道および雌軌道を伴う再閉鎖可能ジッパ閉鎖部を備える。切欠きが雄軌道および雌軌道に配置され、切欠きはジッパ閉鎖部の端からある距離で離間する。滑動部がジッパ閉鎖部に滑動可能に配置される。滑動部は、上部材と、上部材から懸下する一対の離間した脚とを備える。離間した脚同士は、離間した脚同士の間に開放容積を定めて、開放容積を通じての軌道の通過を、脚が軌道に跨る状態で可能にする。離間した脚のうちの少なくとも第１の脚が、第１の脚の残りの部分および滑動部の残りの部分から側方へと離れるように突出する第１のタングを有する。第１のタングは、その一部分において第１の分離プラウを有する。第１のタングは、滑動部がジッパ閉鎖部に沿って開放方向で移動させられるとき、雄軌道と雌軌道とを分離するために、第１の分離プラウを脚同士の間の開放容積に配置するように選択的に移動可能である。
【０００８】
閉鎖システムは、滑動部が軌道に沿って閉鎖方向で移動させられるとき、雄軌道と雌軌道とを相互係止する関係へと係合させるのに互いに十分な近さで離間する内面をさらに備え得る。
【０００９】
例示的な実施形態では、第１のタングは、第１の脚の残りの部分に取り付けられる固定端と、撓み可能な自由端とを有する。第１の分離プラウは自由端にある。
【００１０】
一部の例示的な実施形態では、離間した脚のうちの第２の脚が、第２の脚の残りの部分および滑動部の残りの部分から側方へと離れるように突出する第２のタングを有する。第２のタングは、その一部分において第２の分離プラウを有する。第１のタングと第２のタングとの両方は、第１の分離プラウおよび第２の分離プラウを脚同士の間の開放容積において互いと隣接させて配置するように選択的に移動可能であり、隣接した第１の分離プラウおよび第２の分離プラウは、滑動部がジッパ閉鎖部に沿って開放方向で移動させられるとき、雄軌道と雌軌道とを分離するために隣接した配向で成形される。
【００１１】
一部の実施形態では、第２のタングは、第２の脚の残りの部分に取り付けられる固定端と、撓み可能な自由端とを有する。第２の分離プラウは第２のタングの自由端にある。
【００１２】
例示的な実施では、雄軌道と雌軌道とを相互係止する関係へと係合させるのに互いに十分な近さで離間する内面は脚の内面を含む。
【００１３】
追加の態様は、上記で様々に特徴付けられているように、チャイルドレジスタンスジッパ閉鎖システムを使用する柔軟包装を対象にしている。包装は、口部を形成する上部、下部、第１の相対する側部、および第２の相対する側部を各々有する第１のパネルおよび第２のパネルを備える。第１のパネルおよび第２のパネルは、それぞれの下部、それぞれの第１の相対する側部、およびそれぞれの第２の相対する側部に沿って互いと結合される。軌道のうちの一方は第１のパネルの上部に近接しており、軌道のうちの他方は第２のパネルの上部に近接している。
【００１４】
追加の態様は、相互係止および係止解除のための相補的な形状を伴う雄軌道および雌軌道を有するジッパ閉鎖部のための滑動部を対象にしている。滑動部は、上部材、および上部材から懸下する一対の離間した脚を備える。離間した脚同士は、離間した脚同士の間に開放容積を定めて、開放容積を通じての軌道の通過を、脚が軌道に跨る状態で可能にする。内面が、滑動部がジッパ閉鎖部に沿って閉鎖方向で移動させられるとき、形状を相互係止する関係へと押し込むのに互いに十分な近さで離間する。少なくとも第１のタングが、離間した脚のうちの第１の脚から延び、第１の脚の残りの部分および滑動部の残りの部分から離間する。第１のタングは、開放容積に接近および離れる方向において、枢動軸の周りで第１の脚に対して撓むように構築および配置される。第１の分離プラウが、第１のタングから延び、第１のタングの撓みで開放容積に接近および離れるように移動する。第１の分離プラウは、滑動部がジッパ閉鎖部に沿って開放方向で移動させられるとき、雄軌道と雌軌道との間に残り、相互係止する形状同士を分離するための位置へと選択的に移動可能である。
【００１５】
例示的な実施形態では、第１のタングは、第１の脚の残りの部分に取り付けられる固定端と、撓み可能な自由端とを有する。第１の分離プラウは自由端にある。
【００１６】
一部の例示的な実施形態では、離間した脚のうちの第２の脚が、第２の脚の残りの部分および滑動部の残りの部分から側方へと離れるように突出する第２のタングを有する。第２のタングは、その一部分において第２の分離プラウを有する。第１のタングと第２のタングとの両方は、滑動部がジッパ閉鎖部に沿って開放方向で移動させられるとき、相互係止する形状同士を分離するために、第１の分離プラウおよび第２の分離プラウを脚同士の間の開放容積へと互いと隣接させて配置するように選択的に移動可能である。
【００１７】
一部の例示的な実施形態では、第１のタングと第２のタングとの両方は、滑動部がジッパ閉鎖部に沿って開放方向で移動させられるとき、相互係止する形状同士を分離するために、第１の分離プラウおよび第２の分離プラウを脚同士の間の開放容積へと互いに接触させて配置するように選択的に移動可能である。
【００１８】
多くの例示的な実施形態では、第２のタングは、第２の脚の残りの部分に取り付けられる固定端と、撓み可能な自由端とを有する。第２の分離プラウは第２のタングの自由端にある。
【００１９】
１つまたは複数の例示的な実施形態では、滑動部は単一品として成形される。
【００２０】
一部の実施形態は、内面が脚の内面を含む。
【００２１】
さらなる態様では、開放可能および再閉鎖可能な口部を有するジッパ付きバッグを動作させる方法が提供される。方法は、口部を形成する上部、下部、第１の相対する側部、および第２の相対する側部を各々有する第１のパネルおよび第２のパネルを有するジッパ付きバッグを用意するステップであって、第１のパネルおよび第２のパネルは、それぞれの下部、それぞれの第１の相対する側部、およびそれぞれの第２の相対する側部に沿って互いと結合され、再閉鎖可能ジッパ閉鎖部が、相互係止および係止解除のための相補的な形状を伴う雄軌道および雌軌道を備え、一方の形状は第１のパネルの上部に近接しており、他方の形状は第２のパネルの上部に近接しており、相補的な形状は、口部を閉鎖するために相互係止し、口部を開放するために係止解除し、ジッパ閉鎖部は、第１の側部から離間する切欠きを備え、上部材、および上部材から懸下する一対の離間した脚を有する滑動部がジッパ閉鎖部に配置されるステップを含む。方法は、口部を、滑動部を前記切欠きへと移動させること、脚のうちの少なくとも一方における分離プラウを雄軌道と雌軌道との間に位置決めするために、離間した脚同士を互いに向けて内向きに圧迫すること、プラウが雄軌道と雌軌道との間にある間に、相互係止する形状同士の分離をもたらすために滑動部を開放方向においてジッパ閉鎖部に沿って移動させることによって開放するステップを含む。
【００２２】
例示的な方法では、離間した脚同士を圧迫するステップは、分離プラウを雄軌道と雌軌道との間に位置決めするために、脚のうちの第１のものおよび滑動部の残りの部分から側方へと離れるように突出する柔軟なタングを移動させることを含む。
【００２３】
例示的な方法では、離間した脚同士を圧迫するステップは、分離プラウを各々が有する一対の柔軟なタングを移動させることを含み、各々の柔軟なタングは、分離プラウを雄軌道と雌軌道との間に位置決めするために、脚のそれぞれ１つおよび滑動部の残りの部分から側方へと離れるように突出する。
【００２４】
多くの例示的な方法では、分離プラウを位置決めするステップは、分離プラウ同士を雄軌道と雌軌道との間で互いに隣接および接触させて位置決めすることを含む。
【００２５】
望ましい製品の特長または方法の様々な例は、以下にある記載に述べられており、一部では記載から明らかとなる、または、本開示の様々な態様を実施することで理解され得る。本開示の態様は、個々の特徴と、特徴の組み合わせとに関し得る。前述の大まかな記載と以下の詳細な記載との両方が説明のためだけであり、請求されている発明の制限とならないことは、理解されるものである。
【図面の簡単な説明】
【００２６】
【図１】本開示の原理に従って構築された、チャイルドレジスタンス滑動部を伴う例示的な柔軟な再閉鎖可能な袋または包装の斜視図である。
【図２】本開示の原理に従って構築された、チャイルドレジスタンス滑動部ジッパ閉鎖システムの第１の実施形態の側面での立面図である。
【図３】図２の線３−３に沿って切り取られた、図２の滑動部ジッパ閉鎖システムの断面図である。
【図４】突出するタングを見ることができる、図２のシステムと共に使用される滑動部の上面図である。
【図５】内向きに撓められているため突出するタングを見ることができない、図２のシステムで使用される滑動部の別の上面図である。
【図６】突出するタングのさらなる詳細を示すために一部分が切り取られている図４の滑動部の下面図である。
【図７】内向きに撓められているときの、タングのさらなる詳細を示すために一部分が切り取られている図５の滑動部の下面図である。
【図８】図４の滑動部の端面図である。
【図９】図５の滑動部の端面図である。
【図１０】滑動部がジッパ閉鎖部の相互係止する軌道同士を分離するためにどのように使用されるかを示すための、滑動部の一部分が切り取られている図２の滑動部ジッパ閉鎖システムの上面図である。
【図１１】本開示の原理に従って構築された、チャイルドレジスタンス滑動部ジッパ閉鎖システムの別の実施形態の側面での立面図である。
【図１２】図１１の線１２−１２に沿って切り取られた、図１１のシステムの断面図である。
【図１３】図１１のシステムで使用され、滑動部の残りの部分から側方へと離れるように突出する２つの撓むタングを示す滑動部の上面図である。
【図１４】タングは内向きに撓められているため見ることができない、図１１のシステムで使用される滑動部の上面図である。
【図１５】撓むタングをより良く示すために一部分が切り取られている図１３の滑動部の下面図である。
【図１６】内向きに撓められているタングをよりよく見えるようにして示すために一部分が切り取られている図１４の滑動部の下面図である。
【図１７】図１３の滑動部の端面図である。
【図１８】図１４の滑動部の端面図である。
【図１９】滑動部がジッパ閉鎖部の相互係止する形状同士を分離しているところを示すための、滑動部の一部分が切り取られている図１１の滑動部ジッパ閉鎖システムの上面図である。
【図２０】先の図の滑動部のいずれかと使用可能なジッパ閉鎖部の１つの例示的な実施形態の断面図である。
【発明を実施するための形態】
【００２７】
Ａ．  例示的な包装および閉鎖部
図１では、柔軟包装１０を含む、再閉鎖可能な袋またはバッグの形態での包装構成の１つの例示的な実施形態である。例えば、包装１０は、プラスチックのジッパ閉鎖部１４の形態で再閉鎖可能な閉鎖部を有するプラスチックバッグ１２などのポリマ包装であり得る。同じく示されているのは、ジッパ閉鎖部１４を開放および閉鎖するための滑動部１６である。滑動部１６は、後でさらに記載されているように、チャイルドレジスタンスである。好ましくは、本明細書に記載されている滑動部１６は、多くの代替が可能であるが、プラスチックの単一品として成形される。
【００２８】
包装１０は多くの異なる構成であり得る。示した例では、包装１０は、柔軟なポリマのプラスチック膜から典型的には作られる第１の相対するパネル部分１８および第２の相対するパネル部分２０を備える。いくつかの製造技術は、包装１０の内部２８の中に製品のための３つで縁取られた封じ込め区域を形成するために、第１のパネル部分１８と第２のパネル部分２０とを、２つの側縁２２、２４に沿って、折り線２６において合流するように、一体に熱封止する。
【００２９】
図示された実施形態では、折り線２６は包装１０の下縁３０を備える。包装１０の上縁３４に沿う開放口部３２を通じて包装１０の内部２８へのアクセスが提供される。この実施形態では、口部３２は、側縁２２、２４の間の包装１０の幅で延びている。口部３２は、この実施形態では、下縁３０の反対にある。他の実施形態では、パネル部分１８、２０は、側縁２２、２４に加えて下縁３０に沿って一体に熱封止されてもよい。多くの代替が可能である。
【００３０】
ジッパ閉鎖部１４は、図１の実施形態では、上縁３４に沿う口部３２において示されている。他の実施形態では、ジッパ閉鎖部は、包装１０の用途の必要性に応じて、包装１０において口部３２と異なる場所に位置決めされてもよい。
【００３１】
ジッパ閉鎖部１４は多くの異なる種類のジッパ閉鎖部であり得る。一例では、ジッパ閉鎖部１４は、雄軌道３６（図１０、図１９、および図２０）と雌軌道３８（図１０、図１９、および図２０）とを含め、相互係止および係止解除のための相補的な形状を有する。雄軌道３６と雌軌道３８とは、相補的な断面の形を有し、一体に押すことで閉鎖される。使用可能な例示的な係合可能形状が、本明細書において参照により各々組み込まれている米国特許第５，４４２，８３８号または米国特許第５，００７，１４３号に記載されている。多くの代替が可能である。
【００３２】
ジッパ閉鎖部１４は切欠き４０を備える。切欠き４０は、典型的には、包装１０の側部２４からある距離で離間することになる。切欠き４０も、典型的には、ジッパ閉鎖部１４の端４１からある距離で離間することになる。後でさらに記載されているように、切欠き４０は、包装１０の使用者に、滑動部１６の一部分を位置決めさせるために、および、相互係止した軌道３６、３８を分離させるために、設けられている。
【００３３】
Ｂ．  図２〜図１０および図２０の例示的な実施形態
チャイルドレジスタンス滑動部閉鎖システムの第１の実施形態が、図２、図３、および図１０において符号５０で示されている。システム５０と使用される滑動部１６の第１の実施形態が符号５２で示されている。滑動部５２はジッパ閉鎖部１４に滑動可能に配置されている。滑動部５２は上部材５４を備える（図４、図５、図８、図９）。第１の脚５６および第２の脚５８の形態での一対の離間した脚が上部材５４から懸下する。離間した脚５６、５８は、離間した脚同士の間に開放容積６０を定めている（図８および図９）。開放容積６０は、開放容積６０を通じての軌道３６、３８の通過を、脚５６、５８が軌道３６、３８に跨る状態で可能にする（図１０）。
【００３４】
図８および図９では、第１の脚５６および第２の脚５８が、互いに向かって内向きになっている相対するフック６２、６４をどのように各々有するかを見ることができる。フック６２、６４は、軌道３６、３８の下肩部６５、６７（図２０）と係合するために使用され得る。この手法では、滑動部５２がジッパ閉鎖部１４において動作可能に搭載されるとき、脚５６、５８が軌道３６、３８に跨るとともにフック６２、６４が軌道３６、３８の下肩部と係合できる間に、上部材５４は上縁３４に沿って滑る。
【００３５】
滑動部５２は、滑動部５２が軌道３６、３８に沿って閉鎖方向７０（図１０）で移動させられるとき、雄軌道３６と雌軌道３８とを相互係止する関係へと係合させるのに互いに十分な近さで離間する内面６６、６８（図３）を備える。代替が可能であるが、図示した実施形態では、第１の脚５６および第２の脚５８の各々は内面６６、６８を有する。滑動部５２が開放方向７２（図１０）において移動させられるとき、後でさらに説明されているように、チャイルドレジスタンス特徴部が克服されているという条件で、滑動部５２は相互係止した雄軌道３６と雌軌道３８とを係止解除することになる。
【００３６】
「チャイルドレジスタンス」という用語が、本明細書において閉鎖システムまたは滑動部を指すために使用されるとき、子供がジッパ閉鎖部１４を容易に開放することができることを防止するための特徴部があることが意味されている。例えば、チャイルドレジスタンスでないシステムでは、子供が滑動部５２をジッパ閉鎖部１４に沿って滑動させる必要があるだけである。チャイルドレジスタンスであることによって、形状同士を係止解除するために取られなければならない追加のステップがあり、そのステップは子供が遂行するには困難である。ここで、チャイルドレジスタンス特徴部の例がさらに説明される。
【００３７】
本開示の原理によれば、第１の脚５６および第２の脚５８の脚のうちの少なくとも一方は、子供がジッパ閉鎖部１４を容易に開放することができるのを防止するように構築および構成されたチャイルドレジスタンス特徴部を有する。この実施形態で、示した例では、第１の脚５６は、第１の脚５６の残りの部分および滑動部５２の残りの部分から側方へと離れるように突出する第１のタブまたはタング７４を有する。「側方へと突出する」ことによって、第１のタング７４が、脚５６、５８の間で滑動部を二等分にする平面内に含まれる中心長手方向軸７６（図４）から、ゼロでない角度で離れるように斜めにされることが意味されている。第１のタング７４は、中心長手方向軸７６を含む平面と平行でない平面に沿って滑動部５２から側方へと突出している。図８における描写で見ることができるように、第１のタング７４は、第１の脚５６の残りの部分から延びており、第２の脚５８および滑動部５２の残りの部分から離れる方向において延びている。
【００３８】
第１のタング７４は、その一部分において第１の分離プラウ７８（図６および図７）を有する。第１のプラウ７８は、一部の実施形態では、第１の分離プラウ７８が雄軌道３６と雌軌道３８との間に位置決めされ、滑動部５２がジッパ閉鎖部１４に沿って開放方向で移動させられるときに軌道３６、３８を分離するように構成および配置される。
【００３９】
ここで図４〜図７を参照すると、第１のタング７４および第１の分離プラウ７８の描写が示されている。図４および図６では、第１のタング７４は、第１の脚５６の残りの部分に取り付けられた固定端８０と、反対の撓み可能な自由端８２とを有するものとして見ることができる。第１のタング７４は、滑動部５２の外面を形成する外部側８４と、開放容積６０を向く反対の内部側８６とを有する。
【００４０】
第１の分離プラウ７８は、この実施形態では、自由端８２に配置される。多くの実施形態が可能である。この実施形態では、第１の足部８８が、自由端８２における内部側８６から、空間６０および第２の脚５８に向かう方向で内向きに延びている。第１の足部８８は、上側９０（図４）と、反対の下側９２（図６および図７）とを有する。上側９０は滑動部５２の上部材５４を向いて隣接しており、一方、下側９２は、上部材５４から離れる方へと脚５６、５８のフック６２、６４を向いている。
【００４１】
多くの変形形態が可能であるが、この実施形態では、第１の分離プラウ７８は第１の足部８８の下側９２から突出している。このようにすることで、第１の分離プラウ７８は、滑動部５２の上部材５４から離れる方へ、脚５６、５８のフック６２、６４を向く方向に向いている。
【００４２】
分離プラウ７８は、この実施形態では、三角形の断面を概して有する。滑動部５２が開放方向７２（図１０）において移動させられるとき、第１の分離プラウ７８が雄軌道３６と雌軌道３８との間で正確に動作可能に位置決めされる場合、分離プラウ７８の狭小端７９（図６および図７）は、雄軌道３６と雌軌道３８とを係合させるための前縁となり、一方、三角形とされた分離プラウ７８のより幅広な部分８１（図６および図７）は、軌道３６、３８の間を通過するためのプラウ７８の後部となる。
【００４３】
前述したように、第１のタング７４は撓み可能である。図４および図６を図５および図７と比較すると、図４および図６は、外力が滑動部５２に加えられていないときに完全に休止状態にある滑動部５２を示している。第１のタング７４は、滑動部５２の残りの部分から側方へと突出している。分離プラウ７８は、軌道３６、３８の外側の位置にある。
【００４４】
図５および図７では、外力が加えられているため第１のタング７４は移動させられている。例えば、人の指が第１の脚５６と第２の脚５８とを互いに向けて圧迫し、第１のタング７４を、第１の脚５６の残りの部分に向かわせ、滑動部５２の残りの部分に向かわせ、空間６０へと、第２の脚５８に向かわせる方向で、移動または撓ませるために使用できる。この位置において、第１の分離プラウ７８は、空間６０の内部にあるように位置決めされる。ジッパ閉鎖部１４において適切に位置決めされるとき、第１の分離プラウ７８は、ジッパ閉鎖部１４における切欠き４０の近傍において第１のタング７４を空間６０へと押すことによって、相互係止した雄軌道３６と雌軌道３８との間に位置決めされ得る。第１の分離プラウ７８がこの場所で位置決めされるとき、滑動部５２は開放方向７２においてジッパ閉鎖部１４に沿って移動させられて、雄軌道３６と雌軌道３８との間の係合を解放することによってジッパ閉鎖部１４を係止解除することができる。
【００４５】
ここで図１および図１０を参照すると、滑動部５２は、開放可能および再閉鎖可能な口部を有するジッパ付きバッグを動作させる方法で使用され得る。方法は、プラスチックバッグ１２などのジッパ付きバッグを用意するステップを含む。プラスチックバッグ１２は、前述したように、互いと結合された第１のパネル１８および第２のパネル２０を備え、再閉鎖可能ジッパ閉鎖部１４が相互係止および係止解除のための雄軌道３６および雌軌道３８を伴い、ジッパ閉鎖部１４が切欠き４０を備え、滑動部５２がジッパ閉鎖部１４に配置される特徴部を有することができる。方法は、滑動部５２を切欠き４０へと移動させることによって口部３２を開放するステップを含み得る。次に、第１の脚５６における分離プラウ７８を雄軌道３６と雌軌道３８との間に位置決めするために、離間した脚５６、５８同士を互いに向けて内向きに圧迫するステップがある。これは、典型的には、分離プラウ７８を内部空間６０の側方外側の位置から脚５６、５８の間の空間６０内の位置へと移動させることを含む。切欠き４０は、プラウ７８を軌道３６、３８の間に位置決めさせることができる。方法は、プラウ７８が雄軌道３６と雌軌道３８との間にある間に、相互係止する形状３６、３８同士の分離をもたらすために滑動部５２を開放方向７２においてジッパ閉鎖部１４に沿って移動させることも含む。
【００４６】
離間した脚５６、５８同士を圧迫するステップは、分離プラウ７８を雄軌道３６と雌軌道３８との間に位置決めするために、第１の脚５６の残りの部分および滑動部５２の残りの部分から側方へと離れるように突出する柔軟なタング７４を移動させるステップを含み得る。
【００４７】
口部３２を閉鎖するために、滑動部５２は閉鎖方向７０に沿って移動させられる。内面６６、６８は、雄軌道３６と雌軌道３８とを押して一体に係合および相互係止するように動作する。分離プラウ７８は、使用者の指による力または圧力の解放において、その元の非係合位置へと戻っても戻らなくてもよい。しかしながら、分離プラウ７８がジッパ閉鎖部１４の閉鎖に効果を持たないため、口部３２を閉鎖するために第１のタング７４において押し込むことは必要ではない、または、望ましくない。
【００４８】
Ｃ．  図１１〜図１９の例示的な実施形態
チャイルドレジスタンス滑動部閉鎖システムの別の実施形態が、図１１〜図１９において符号１００で示されている。システム１００は、符号１０２において滑動部１６の第２の実施形態を使用する。滑動部１０２が滑動部５２と共通の特徴部を備える場合、同じ符号が使用されている。そのため、これらの共通の特徴部の説明は、ここでは滑動部１０２に関連して再び繰り返されないが、ここでは参照により組み込まれている。滑動部１０２と滑動部５２との間の違いの説明が以下に記載されている。
【００４９】
この実施形態では、滑動部１０２は、子供がジッパ閉鎖部１４を容易に係止解除することができるのを防止するように、追加のチャイルドレジスタンス特徴部を有する。具体的には、滑動部１０２は第２のタング１０４をさらに備える。第２のタング１０４は、第２の脚５８の残りの部分および滑動部１０２の残りの部分から側方へと離れるように突出する。第２のタング１０４は、その一部分において第２の分離プラウ１０６を有する。
【００５０】
図１３では、中心長手方向軸１０８は、脚５６、５８の間で滑動部１０２を二等分にする平面に沿って見ることができる。第１のタング７４および第２のタング１０４の各々は、外力が加えられていない休止状態で示されており、そのためタング７４、１０４は、滑動部１０２の残りの部分から、離れるように突出する、または、斜めにされる。つまり、タング７４、１０４の各々は、長手方向軸１０８を含む平面に対して、平行でないそれぞれの平面内に含まれ、ゼロでない角度で斜めにされる。
【００５１】
第２のタング１０４は固定端１１０を有する。固定端１１０は、滑動部１０２の第２の脚５８の残りの部分に取り付けられている。第２のタング１０４は、固定端１１０の反対に撓み可能な自由端１１２を有する。撓み可能な自由端１１２は第２の分離プラウ１０６（図１５、図１６）を有する。
【００５２】
第２のタング１０４は、滑動部１０２の残りの部分から離れる方を向く外部側１１４と、空間６０および第１の脚５６を向く反対の内部側１１６とを備える。内部側１１６から延びているのは足部１１８である。足部１１８は、空間６０へと突出するように自由端１１２および内部側１１６から延びている（図１５、図１６）。
【００５３】
足部１１８は、上部材５４を向く上側１２０（図１３）と、脚５６、５８のフック６２、６４を向く反対の下側１２２（図１５）とを有する。
【００５４】
この実施形態では、第２の分離プラウ１０６は、上部材５４から離れ、脚５６、５８のフック６２、６４を向く方向において突出するように、足部１１８の下側１２２から延びている。
【００５５】
第２の分離プラウ１０６は、この実施形態では、三角形１２４の断面の形を有する。三角形１２４の大きさは、それ自体だけでは雄軌道３６を雌軌道３８から分離することができるだけの十分な大きさのない寸法である。同じくこの実施形態では、第１の分離プラウ７８は、それ自体では相互係止した雄軌道３６と雌軌道３８とを分離することができるだけの十分な大きさのない三角形１２６の断面の形を有する。むしろ、この実施形態では、相互係止した雄軌道３６と雌軌道３８とを分離するために、第１の分離プラウ７８と第２の分離プラウ１０６との両方が互いに隣接する必要がある。多くの実施形態では、分離プラウ７８、１０６は、単一の一体のプラウ１２８（図１６）を形成するために、互いに隣接および接触している必要がある。一体のプラウ１２８は、ジッパ閉鎖部１４に対して正確に位置決めされ、開放方向７２で移動させられるとき、雄軌道３６と雌軌道３８との分離を引き起こすに十分な大きさの寸法のものである。別の言い方をすれば、隣接する第１のプラウ７８および第２のプラウ１０６は、滑動部１０２がジッパ閉鎖部１４に沿って開放方向で移動させられるとき、雄軌道３６と雌軌道３８とを分離するために隣接した配向で成形されている。
【００５６】
動作中、図１９を参照すると、滑動部１０２は、口部３２を開放するために、ジッパ付きプラスチックバッグ１２を動作させる方法で使用され得る。これは、滑動部１０２を切欠き４０へと移動させることで行われる。次に、脚５６および５８は、第１の分離プラウ７８を第２の分離プラウ１０６に隣接して位置決めし、一体とされたプラウ１２８をもたらし、一体とされたプラウ１２８を雄軌道３６と雌軌道３８との間に位置決めするために、互いに向けて内向きに圧迫される。次いで、プラウ１２８が雄軌道３６と雌軌道３８との間にある間に、一体とされたプラウ１２８を軌道３６、３８の間で移動させることで相互係止する形状３６、３８同士の分離をもたらすために、滑動部１０２を開放方向７２においてジッパ閉鎖部１４に沿って移動させる。
【００５７】
離間した脚５６、５８を圧迫するステップは、分離プラウ７８、１０６が撓まされた位置から脚５６、５８の間の内部空間６０へと移動させられるように、柔軟なタング７４、１０４を互いに向けて移動させることを含み、三角形１２４、１２６が隣り合って互いと係合している状態となる。
【００５８】
口部３２を閉鎖するために、滑動部１０２は、反対の方向において、閉鎖方向７０で移動させられる。プラウ７８、１０６の位置が閉鎖動作に影響を持たないため、脚５６、５８を互いに向けて圧迫することは必要ではない、または、望ましくない。
【００５９】
上記は、本開示の例としての原理を表している。多くの実施形態がこれらの原理を用いて行われ得る。
【符号の説明】
【００６０】
１０  柔軟包装、包装
１２  プラスチックバッグ
１４  ジッパ閉鎖部
１６  滑動部
１８  第１の相対するパネル部分、第１のパネル部分、パネル部分
２０  第２の相対するパネル部分、第２のパネル部分、パネル部分
２２  側縁
２４  側縁、側部
２６  折り線
２８  内部
３０  下縁
３２  開放口部、口部
３４  上縁
３６  雄軌道、相互係止した軌道、軌道、相互係止する形状
３８  雌軌道、相互係止した軌道、軌道、相互係止する形状
４０  切欠き
４１  端
５０  チャイルドレジスタンス滑動部閉鎖システム、システム
５２  滑動部
５４  上部材
５６  第１の脚、離間した脚、脚
５８  第２の脚、離間した脚、脚
６０  開放容積、空間、内部空間
６２  相対するフック、フック
６４  相対するフック、フック
６５  下肩部
６６  内面
６７  下肩部
６８  内面
７０  閉鎖方向
７２  開放方向
７４  第１のタブ、第１のタング、タング、柔軟なタング
７６  中心長手方向軸
７８  第１の分離プラウ、第１のプラウ、プラウ、分離プラウ
７９  狭小端
８０  固定端
８１  幅広な部分
８２  撓み可能な自由端、自由端
８４  外部側
８６  内部側
８８  第１の足部
９０  上側
９２  下側
１００  チャイルドレジスタンス滑動部閉鎖システム、システム
１０２  滑動部
１０４  第２のタング、タング、柔軟なタング
１０６  第２の分離プラウ、分離プラウ、第２のプラウ、プラウ
１０８  中心長手方向軸、長手方向軸
１１０  固定端
１１２  撓み可能な自由端、自由端
１１４  外部側
１１６  内部側
１１８  足部
１２０  上側
１２２  下側
１２４  三角形
１２６  三角形
１２８  一体のプラウ、一体とされたプラウ、プラウ
【図１】
2021504053.tif 000003
【図２】
2021504053.tif 000004
【図３】
2021504053.tif 000005
【図４】
2021504053.tif 000006
【図５】
2021504053.tif 000007
【図６】
2021504053.tif 000008
【図７】
2021504053.tif 000009
【図８】
2021504053.tif 000010
【図９】
2021504053.tif 000011
【図１０】
2021504053.tif 000012
【図１１】
2021504053.tif 000013
【図１２】
2021504053.tif 000014
【図１３】
2021504053.tif 000015
【図１４】
2021504053.tif 000016
【図１５】
2021504053.tif 000017
【図１６】
2021504053.tif 000018
【図１７】
2021504053.tif 000019
【図１８】
2021504053.tif 000020
【図１９】
2021504053.tif 000021
【図２０】
2021504053.tif 000022
【国際調査報告】
2021504053.tif 000023
2021504053.tif 000024
2021504053.tif 000025